(57)【要約】      （修正有）【課題】焼結スリーブからの油の漏れを抑制することによって、扇風機の軸受寿命を延長する。【解決手段】扇風機は、シャフトと、一対の焼結スリーブ４１と、回転翼と、ロータと、電機子と、ハウジングとを備える。シャフトは、前後に延びる中心軸に沿って配置される。一対の焼結スリーブは、シャフトを二箇所で支持し、オイルが含浸されている。回転翼は、シャフトの一端部に固定される。ロータは、一対の焼結スリーブの間に位置し、シャフトに固定されている。電機子は、ロータに対して径方向に対向する。ハウジングは、スリーブ及び電機子を支持し、ロータを収容する。シャフトと対向するスリーブの内壁面４５は、軸受面４５１と、拡径面４５２とを備える。軸受面は、シャフトと並行である。拡径面は、内壁面の軸方向両端にあり、軸受面に比べて中心軸との距離が大きい。軸受面の面積を１００としたときの、前記拡径面の面積は１５以上２５以下である。【選択図】図２
2014009594.tif 000002
【特許請求の範囲】
【請求項１】
前後に延びる中心軸に沿って配置されたシャフトと、
シャフトを二箇所で支持し、オイルが含浸された一対の焼結スリーブと、
シャフトの一端部に固定された回転翼と、
前記一対の焼結スリーブの間に位置し、前記シャフトに固定されたロータと、
前記ロータに対して径方向に対向する電機子と、
前記スリーブ及び前記電機子を支持し、前記ロータを収容するハウジングと、
を備え、
前記シャフトと対向する前記スリーブの内壁面は、
前記シャフトと並行である軸受面と、
前記内壁面の軸方向両端にあり、前記軸受面に比べてシャフトの表面からの距離が大きい拡径面と、を有し、
前記軸受面の面積を１００としたときの、前記拡径面の面積は１５以上２５以下である、扇風機。
【請求項２】
前記拡径面は、内壁面の軸方向端部に向かって漸次径が拡がるように中心軸に対して傾いており、
前記拡径面の中心軸に対する傾きは、０°以上４０°以下である、請求項１の扇風機。
【請求項３】
前記拡径面の中心軸に対する傾きは、３０°以上４０°以下である、請求項２の扇風機。
【請求項４】
前記拡径面と、前記軸受面との間にあって、両者を連続して繋ぎ、径方向に広がる段部を有する、請求項１ないし３のいずれかに記載の扇風機。
【請求項５】
前記拡径面と、前記軸受面とでは、前記拡径面の方が表面開孔率が高い、請求項１ないし３のいずれかに記載の扇風機。
【請求項６】
前記拡径面と、前記軸受面とでは、前記拡径面の方が表面開孔率が高い、請求項４に記載の扇風機。
【発明の詳細な説明】
【技術分野】
【０００１】
本発明は、扇風機に関する。
【背景技術】
【０００２】
従来から、回転軸の軸受として、油が含浸された焼結軸受が利用されてきた。この焼結軸受を利用した場合、軸受に含浸された油が軸受の軸方向両端から外に漏れ出て、短期間で油が枯渇し、軸受の寿命が短くなっていた。
【発明の概要】
【発明が解決しようとする課題】
【０００３】
本発明の目的は、焼結スリーブからの油の漏れを抑制することによって、扇風機の軸受寿命を延長することである。
【課題を解決するための手段】
【０００４】
本願の例示的な第１発明の扇風機は、シャフトと、一対の焼結スリーブと、回転翼と、ロータと、電機子と、ハウジングとを備える。シャフトは、前後に延びる中心軸に沿って配置される。一対の焼結スリーブは、シャフトを二箇所で支持し、オイルが含浸されている。回転翼は、シャフトの一端部に固定される。ロータは、一対の焼結スリーブの間に位置し、シャフトに固定されている。電機子は、ロータに対して径方向に対向する。ハウジングは、スリーブ及び電機子を支持し、ロータを収容する。シャフトと対向するスリーブの内壁面は、軸受面と、拡径面とを備える。軸受面は、シャフトと並行である。拡径面は、内壁面の軸方向両端にあり、軸受面に比べてシャフトの表面との距離が大きい。軸受面の面積を１００としたときの、前記拡径面の面積は１５以上２５以下である。
【発明の効果】
【０００５】
本願の例示的な第１発明の扇風機によれば、焼結スリーブからの油の漏れを抑制することによって、扇風機の軸受寿命を延長することができる。
【図面の簡単な説明】
【０００６】
【図１】図１は、一の実施形態に係る扇風機の部分縦断面図である。
【図２】図２は、一の実施形態に係る第１焼結スリーブの縦断面である。
【図３】図３は、第一変形例に係る第１焼結スリーブの縦断面図である。
【図４】図４は、第二変形例に係る第１焼結スリーブの縦断面図である。
【発明を実施するための形態】
【０００７】
本明細書では、図１に示すモータ１の中心軸Ｊ１方向における左側を「前側」と呼び、右側を「後側」と呼ぶ。なお、前後の方向は、実際の機器に組み込まれたときの位置関係や方向を示すものではない。また、中心軸Ｊ１に平行な方向を「軸方向」と呼び、中心軸Ｊ１を中心とする径方向を単に「径方向」と呼び、中心軸を中心とする周方向を単に「周方向」と呼ぶ。 
【０００８】
＜１．実施形態＞
図１は、本発明の例示的な一の実施形態に係る扇風機の部分縦断面図である。扇風機１は、モータ１１と、回転翼１２と、スタッド棒１３と、を備える。モータ１１は、電機子２と、回転部３と、軸受部４と、ハウジング５と、を備える。軸受部４は、中心軸Ｊ１を中心に回転部３を電機子２に対して回転可能に支持する。軸受部４は、第１焼結スリーブ４１と、第１焼結スリーブ４１の後側に配置される第２焼結スリーブ４２とから構成される。ハウジング５は、側面にスタッド棒１３が取り付けられる。電機子２は、ステータコアと、樹脂製のインシュレータと、複数のコイルと、を含む。
【０００９】
回転部３は、シャフト３１と、ロータ３２と、を含む。シャフト３１は、前後に延びる中心軸Ｊ１に沿って配置されている。シャフト３１の前側の先端には、回転翼１２が固定されている。シャフトの後側の先端には、首振りギア（図示していない）が取り付けられている。シャフト３１は第１焼結スリーブ４１および第２焼結スリーブ４２の中心に設けられた孔をそれぞれ貫通する。シャフト３１は、軸方向に離間した二箇所で第１焼結スリーブ４１および第２焼結スリーブ４２により、中心軸Ｊ１を中心として回転可能に支持される。ロータ３２は、第１焼結スリーブ４１と第２焼結スリーブ４２との間に位置し、シャフト３１に固定されている。また、ロータ３２は積層鋼板により形成され、電機子２の径方向内側に配置される。
【００１０】
ハウジング５は、電機子２、ロータ３２、および軸受部４を収容している。ハウジング５の内周面は電機子２の外周面と接しており、ハウジング５は電機子２を支持している。ハウジング５は、電機子２の前側を覆う第１ハウジング５１と、電機子２の後側を覆う第２ハウジング５２とから構成される。また、第１ハウジング５１は、有底円筒形状であり、底の中央に開口を備える。同様に、第２ハウジング５２も有底円筒形状であり、底の中央に開口を備える。電機子２は、第１ハウジング５１に圧入された後、第２ハウジング５２に圧入される。シャフト３１の前側の先端は、第１ハウジング５１の開口から前側に突出する。また、シャフト３１の後側の先端は、第２ハウジング５２の開口から後側に突出する。
【００１１】
また、第１ハウジング５１と、第２ハウジング５２は、それぞれ、第１軸受支持部５１１と、第２軸受支持部５２１と、を含む。第１軸受支持部５１１は、第１中央部５１２と、第１環状凹部５１３と、を含む。第１中央部５１２は、底に穴の開いたカップ状である。第１中央部５１２には、第１焼結スリーブ４１が保持される。第１環状凹部５１３は、第１中央部５１２の後側端部から径方向外方へと環状に広がる。また第１環状凹部５１３は、第１中央部５１２を除く第１ハウジング５１の前側端面より後側に凹んでいる。第２軸受支持部５２１は、第２中央部５２２と、第２環状凹部５２３と、を含む。第２中央部５２２は、底に穴の開いたカップ状であり、第２焼結スリーブ４２が保持される。第２環状凹部５２３は、第２中央部５２２の前側端部から径方向外方へと環状に広がる。また第２環状凹部５２３は、第２中央部５２２を除く第２ハウジング５２の後側端面より前側に凹んでいる。
【００１２】
軸受部４１は、第１軸受保持器４１１と、第２軸受保持器４２１と、を含む。第１軸受保持器４１１は、第１軸受保持器４１１の径方向端部を、第１環状凹部５１３にある第１フック４３に挿入することにより固定される。また、第２軸受保持器４２１は、第２軸受保持器４２１の径方向端部を、第２環状凹部５２３にある第２フック４４に挿入することにより固定される。
【００１３】
第１焼結スリーブ４１の前側端部は、第１軸受支持部５１１により保持される。また、第１焼結スリーブ４１の後側端部は、第１軸受保持器４１１により保持される。同様に、第２焼結スリーブ４２の後側端部は、第２軸受支持部５２１により保持される。また、第２焼結スリーブ４２の前側端部は、第２軸受保持器４２１により保持される。
【００１４】
図２は、本発明の一の実施形態に係る第１焼結スリーブ４１の縦断面である。 以下、第１焼結スリーブ４１の構造を詳述する。第１焼結スリーブ４１は、金属粉末を圧粉して成形し、その後焼成する事で得られる多孔質体であり、潤滑油が含浸されている。第１焼結スリーブ４１は、略球面状の外周面および、シャフト３１と対向する内壁面４５を有する。内壁面４５は、軸受面４５１と拡径面４５２とを有する。軸受面４５１は、シャフト３１と並行な面である。拡径面４５２は、内壁面４５の軸方向両端にあり、軸受面４５１に比べてシャフト３１の表面との距離が大きい。拡径面４５２は、内壁面４５の軸方向端部に向かって漸次径が広がっていくように、中心軸Ｊ１に対して傾いている。傾斜角度は、中心軸Ｊ１に対して３０°以上４０°以下であることが望ましい。
【００１５】
第１焼結スリーブ４１では、油が軸受面４５１の軸方向端部から拡径面４５２へ漏れ出ることがある。これは、第１焼結スリーブ４１内では、油がシャフト３１をつたって、軸受面４５１の軸方向中央から端部に向かうという現象が生じるからであると推定される。もちろん、その他の現象が原因である可能性もある。油が軸受面４５１の軸方向端部から拡径面４５２に漏れ出たとしても、第１焼結スリーブ４１は拡径面４５２から外への油の流出を抑えることできる。以下、その説明を行う。
【００１６】
第１焼結スリーブ４１は、拡径面４５２の表面開孔率が軸受面４５１の表面開孔率に比べて大きい。表面開孔率とは、多孔質体の焼結スリーブの外表面における、単位面積内に占める孔の面積割合である。本発明の例示的な一の実施形態では、拡径面４５２の表面開孔率が３０％以上５０％以下で、軸受面４５１の表面開孔率が１５％以上２０％以下である。ただし、拡径面４５２の表面開孔率、および、軸受面４５１の表面開孔率は各々、上記割合から５％くらい変動があっても良い。そのために、油が拡径面４５２に漏れ出たとしても、拡径面４５２において油が吸収され、第１焼結スリーブ４１内に戻っていく。また、軸受面４５１の面積を１００としたときの、前記拡径面４５２の面積は１５以上２５以下であることが好ましい。拡径面４５２の割合が小さすぎると、油が拡径面４５２に漏れ出たとき、油が吸収される面を十分に確保できない。拡径面４５２の割合が大きすぎると、軸受面４５１がシャフト３１を支持する面を十分に確保できない。
【００１７】
また、拡径面４５２は中心軸Ｊ１に対して３０°以上４０°以下で傾いているため、拡径面４５２において油の表面張力が働き、油が漏れ出るのを抑制できる。
＜２．第一変形例＞
【００１８】
以上、本発明の一の実施形態について説明したが、本発明は上記の実施形態に限定されるものではない。
【００１９】
図３は、第一変形例に係る第１焼結スリーブ６１の縦断面図である。内壁面６５は、拡径面６５２と軸受面６５１との間にあって、両者を連続して繋ぎ、径方向に広がる段部６５３を有していても良い。
＜３．第二変形例＞
【００２０】
図４は、第二変形例に係る第１焼結スリーブ７１の縦断面図である。拡径面の中心軸に対する傾きは０°であっても良い。すなわち、拡径面７５２は、中心軸Ｊ１に対して傾いておらず、シャフト３１と並行であっても良い。そのような構成であっても、拡径面７５２により油は第１焼結スリーブ７１内に戻っていくので、拡径面７５２から外に油が流出することを抑制することができる。
【００２１】
以上、第１焼結スリーブ４１についてのみ詳述してきたが、第１焼結スリーブ４１と第２焼結スリーブ４２とは同様の構成であるので、第２焼結スリーブの説明を省く。
【００２２】
尚、本発明の扇風機は、各部材の細部の形状が、本願の各図に示された形状と、相違していてもよい。また、上記実施形態および各変形例における構成は、相互に矛盾しない限り適宜組み合わされてよい。 
【産業上の利用可能性】
【００２３】
本発明は、扇風機に適用できる。
【符号の説明】
【００２４】
１        扇風機
１１      モータ
２        電機子 
３        回転部
３１      シャフト
３２      ロータ
４        軸受部
４１      第１焼結スリーブ
４２      第２焼結スリーブ
４３      第１フック
４４      第２フック
４５      内壁面
４１１    第１軸受保持器
４２１    第２軸受保持器
４５１    軸受面
４５２    拡径面
５        ハウジング
５１      第１ハウジング
５２      第２ハウジング
５１１    第１軸受支持部
５１２    第１中央部
５１３    第１環状凹部
５２１    第２軸受支持部
５２２    第２中央部
５２３    第２環状凹部
【図１】
2014009594.tif 000003
【図２】
2014009594.tif 000004
【図３】
2014009594.tif 000005
【図４】
2014009594.tif 000006